(57)【要約】【課題】            一般に携帯電話機等の携帯機器は、ケース外観の色や絵柄は固定であり、取り替えることができない。ケースに意匠パネルを容易に取り付け、取り外しができれば、他の意匠パネルに交換可能であり、ファッション感覚で携帯電話機を持ち歩くことができ、洋服に合わせた色の携帯電話機としたり、昼間と夜間とで色の異なる携帯電話機とすることができる。【解決手段】        リアケース１とともに筐体ケースを構成するフロントケース２には、凹部２２ａ〜２２ｄ及び係止爪２３ａ〜２３ｄが形成されている。この凹部２２ａ、２２ｂ及び係止爪２３ａ、２３ｂには第１意匠パネル９の爪１６ａ、１６ｂ及び係止爪１７ａ、１７ｂが挿入、係止され、凹部２２ｃ、２２ｄ及び係止爪２３ｃ、２３ｄには第２意匠パネル１０の爪１９ａ、１９ｂ及び係止爪２０ａ、２０ｂが挿入、係止される。これらが各々係合することにより、容易に取り付けられ、取り外しが可能になる。【選択図】          図４
2005223192.tif 000002
【特許請求の範囲】
【請求項１】
電子機器を収納するとともに、表面側部外周部を除いて凹部が形成されたケース、このケースの上記凹部に形成した孔、上記ケースの凹部上に形成した第１係止爪、上記ケースの凹部に嵌め込まれる意匠パネル、この意匠パネルの一端側裏面に形成され、上記孔に潜り込み上記ケースの裏面側と係止する爪、上記意匠パネルの他端側裏面に形成され、上記ケースの厚み方向に押圧されることにより上記第１係止爪と係合する第２係止爪を備えたことを特徴とする携帯機器。
【請求項２】
電子機器を収納するとともに、表面側部外周部を除いて凹部が形成されたケース、このケースの上記凹部に形成した孔、上記ケースの凹部上に形成した第１係止爪、上記ケースの凹部上に突設した部材、上記ケースの凹部に嵌め込まれる意匠パネル、この意匠パネルの一端側裏面に形成され、上記孔に潜り込み上記ケースの裏面側と係止する爪、上記意匠パネルの他端側裏面に形成され、上記ケースの厚み方向に押圧されることにより上記第１係止爪と係合する第２係止爪、上記意匠パネルの他端側に形成され、上記部材を内周に接した状態で受け入れる小孔を備えたことを特徴とする携帯機器。
【請求項３】
意匠パネルの一端及び他端間の両側部裏面には該側部に沿ってそれぞれリブが形成されていることを特徴とする請求項１又は２に記載の携帯機器。
【請求項４】
ケースの表面側部内壁には突起が設けられており、リブには該突起と係合する凹部が形成されていることを特徴とする請求項３記載の携帯機器。
【請求項５】
電子機器は通信装置を含み、ケースの凹部上に突設した部材は通信用のマイク又はレシーバのいずれかであることを特徴とする請求項２記載の携帯機器。
【請求項６】
電子機器を収納するとともに、表面側部外周部を除いて凹部が形成されたケース、このケースの一端側表面に突設したディスプレイ、上記ケースの他端側表面に複数突設した操作キー、上記ケースの一端側凹部に嵌め込まれ、上記ディスプレイを受け入れる表示窓が形成された第１意匠パネル、上記ケースの他端側凹部に嵌め込まれ、上記操作キーを受け入れる孔が形成された第２の意匠パネル、上記第１意匠パネルの一端側裏面に形成され、上記ケースの中央部に形成した第１孔に潜り込み上記ケースの裏面側と係止する第１爪、上記第１意匠パネルの他端側裏面に形成され、上記ケースの厚み方向に押圧されることにより上記ケースの一端側凹部上に形成した第１係止爪と係合する第２係止爪、上記第２意匠パネルの一端側裏面に形成され、上記ケースの中央部に形成した第２孔に潜り込み上記ケースの裏面側と係止する第２爪、上記第２意匠パネルの他端側裏面に形成され、上記ケースの厚み方向に押圧されることにより上記ケースの他端側凹部上に形成した第３係止爪と係合する第４係止爪を備えたことを特徴とする携帯機器。
【請求項７】
電子機器を収納するとともに、表面側部外周部を除いて凹部が形成されたケース、このケースの一端側表面に突設したディスプレイ、上記ケースの他端側表面に複数突設した操作キー、上記ケースの一端側凹部に嵌め込まれ、上記ディスプレイを受け入れる表示窓が形成された第１意匠パネル、上記ケースの他端側凹部に嵌め込まれ、上記操作キーを受け入れる孔が形成された第２の意匠パネル、上記第１意匠パネルの一端側裏面に形成され、上記ケースの中央部に形成した第１孔に潜り込み上記ケースの裏面側と係止する第１爪、上記第１意匠パネルの他端側裏面に形成され、上記ケースの厚み方向に押圧されることにより上記ケースの一端側凹部上に形成した第１係止爪と係合する第２係止爪、上記第１の意匠パネルの他端側に形成され、上記ケースの一端側凹部上に突設した第１部材を内周に接した状態で受け入れる第１小穴、上記第２意匠パネルの一端側裏面に形成され、上記ケースの中央部に形成した第２孔に潜り込み上記ケースの裏面側と係止する第２爪、上記第２意匠パネルの他端側裏面に形成され、上記ケースの厚み方向に押圧されることにより上記ケースの他端側凹部上に形成した第３係止爪と係合する第４係止爪、上記第２の意匠パネルの他端側に形成され、上記ケースの他端側凹部上に突設した第２部材を内周に接した状態で受け入れる第２小穴を備えたことを特徴とする携帯機器。
【請求項８】
電子機器は通信装置を含み、ケースの一端側凹部上に突設した第１部材が通信用のレシーバであり、上記ケースの他端側凹部上に突設した第２部材が通信用のマイクであることを特徴とする請求項７記載の携帯機器。
【発明の詳細な説明】
【技術分野】
【０００１】
本発明は、携帯電話機等の携帯機器に関し、特に電子機器を収納する筐体ケースに意匠パネルを取付け、及び取り外し可能に構成した携帯機器に関するものである。
【背景技術】
【０００２】
携帯電話機等の携帯機器は小型軽量化が進み、手軽に持ち運べる利便性から広く普及してきた。携帯電話機にあっては、本来の通話機能に加えてメール機能やゲームその他の機能が搭載されており、常時携帯する必須の携帯機器になっている。このため、携帯電話機は、機能が充実化される一方で、デザインや外観色が重視されるようになってきた。
【０００３】
即ち、若い女性らは、ファッション感覚で携帯電話機を持ち歩き、公衆の中で通話やメールの送受信を楽しんでいる。したがって、例えば、携帯電話機の外観色が曜日あるいは時間帯等で替えられることができれば、洋服に合わせた色の携帯電話機としたり、昼間と夜間とで色の異なる携帯電話機とすることを１台の携帯電話機で実現できる。
【０００４】
このような、ユーザのニーズにこたえるためには、携帯機器のパネルを取り替え可能にすることが考えられ、類似の従来技術として、特許文献１に記載されたものがある。
【０００５】
この従来技術は、表示窓に覆設される第１パネル及び操作キー孔を合わせて付設される第２パネルを容易に取り外し可能にしたものであって、専用工具を必要としない。
【０００６】
【特許文献１】特開２００２−７７３４０号公報
【発明の開示】
【発明が解決しようとする課題】
【０００７】
特許文献１に記載の従来技術は、第１及び第２パネルを両面テープで装置ケースに取付けており、専用工具を必要としないで容易に取り外せる構成になっているものの、頻繁に取り外しが出来るものではなく、上記ユーザのニーズにこたえられるものではない。
【０００８】
即ち、上記ユーザのニーズにこたえるにはケースに意匠パネルを容易に取付けることができ、取り付け状態では衝撃、振動などの外力で外れてしまうことがなく、かつ、取り外したいときには、容易に取り外せ、他の意匠パネルと取替え可能な構成が必要になる。
【０００９】
本発明は、上記従来の問題点に鑑みてなされたものであり、ケースに意匠パネルを容易に取り付け、取り外しができ、意匠パネルを他の意匠パネルに交換可能にできるようにすることを目的としている。
【課題を解決するための手段】
【００１０】
本発明の請求項１に係る携帯機器は、電子機器を収納するとともに、表面側部外周部を除いて凹部が形成されたケース、このケースの上記凹部に形成した孔、上記ケースの凹部上に形成した第１係止爪、上記ケースの凹部に嵌め込まれる意匠パネル、この意匠パネルの一端側裏面に形成され、上記孔に潜り込み上記ケースの裏面側と係止する爪、上記意匠パネルの他端側裏面に形成され、上記ケースの厚み方向に押圧されることにより上記第１係止爪と係合する第２係止爪から構成したものである。
【００１１】
本発明の請求項２に係る携帯機器は、電子機器を収納するとともに、表面側部外周部を除いて凹部が形成されたケース、このケースの上記凹部に形成した孔、上記ケースの凹部上に形成した第１係止爪、上記ケースの凹部上に突設した部材、上記ケースの凹部に嵌め込まれる意匠パネル、この意匠パネルの一端側裏面に形成され、上記孔に潜り込み上記ケースの裏面側と係止する爪、上記意匠パネルの他端側裏面に形成され、上記ケースの厚み方向に押圧されることにより上記第１係止爪と係合する第２係止爪、上記意匠パネルの他端側に形成され、上記部材を内周に接した状態で受け入れる小孔から構成したものである。
【００１２】
本発明の請求項３に係る携帯機器は、請求項１又は２における携帯機器であって、意匠パネルの一端及び他端間の両側部裏面には該側部に沿ってそれぞれリブが形成されるように構成したものである。
【００１３】
本発明の請求項４に係る携帯機器は、請求項３における携帯機器であって、ケースの表面側部内壁には突起が設けられており、リブには該突起と係合する凹部が形成されるように構成したものである。
【００１４】
本発明の請求項５に係る携帯機器は、請求項２における携帯機器であって、電子機器は通信装置を含み、ケースの凹部上に突設した部材は通信用のマイク又はレシーバのいずれかで構成したものである。
【００１５】
本発明の請求項６に係る携帯機器は、電子機器を収納するとともに、表面側部外周部を除いて凹部が形成されたケース、このケースの一端側表面に突設したディスプレイ、上記ケースの他端側表面に複数突設した操作キー、上記ケースの一端側凹部に嵌め込まれ、上記ディスプレイを受け入れる表示窓が形成された第１意匠パネル、上記ケースの他端側凹部に嵌め込まれ、上記操作キーを受け入れる孔が形成された第２の意匠パネル、上記第１意匠パネルの一端側裏面に形成され、上記ケースの中央部に形成した第１孔に潜り込み上記ケースの裏面側と係止する第１爪、上記第１意匠パネルの他端側裏面に形成され、上記ケースの厚み方向に押圧されることにより上記ケースの一端側凹部上に形成した第１係止爪と係合する第２係止爪、上記第２意匠パネルの一端側裏面に形成され、上記ケースの中央部に形成した第２孔に潜り込み上記ケースの裏面側と係止する第２爪、上記第２意匠パネルの他端側裏面に形成され、上記ケースの厚み方向に押圧されることにより上記ケースの他端側凹部上に形成した第３係止爪と係合する第４係止爪から構成したものである。
【００１６】
本発明の請求項７に係る携帯機器は、電子機器を収納するとともに、表面側部外周部を除いて凹部が形成されたケース、このケースの一端側表面に突設したディスプレイ、上記ケースの他端側表面に複数突設した操作キー、上記ケースの一端側凹部に嵌め込まれ、上記ディスプレイを受け入れる表示窓が形成された第１意匠パネル、上記ケースの他端側凹部に嵌め込まれ、上記操作キーを受け入れる孔が形成された第２の意匠パネル、上記第１意匠パネルの一端側裏面に形成され、上記ケースの中央部に形成した第１孔に潜り込み上記ケースの裏面側と係止する第１爪、上記第１意匠パネルの他端側裏面に形成され、上記ケースの厚み方向に押圧されることにより上記ケースの一端側凹部上に形成した第１係止爪と係合する第２係止爪、上記第１の意匠パネルの他端側に形成され、上記ケースの一端側凹部上に突設した第１部材を内周に接した状態で受け入れる第１小穴、上記第２意匠パネルの一端側裏面に形成され、上記ケースの中央部に形成した第２孔に潜り込み上記ケースの裏面側と係止する第２爪、上記第２意匠パネルの他端側裏面に形成され、上記ケースの厚み方向に押圧されることにより上記ケースの他端側凹部上に形成した第３係止爪と係合する第４係止爪、上記第２の意匠パネルの他端側に形成され、上記ケースの他端側凹部上に突設した第２部材を内周に接した状態で受け入れる第２小穴から構成したものである。
【００１７】
本発明の請求項８に係る携帯機器は、請求項７における携帯機器であって、電子機器は通信装置を含み、ケースの一端側凹部上に突設した第１部材が通信用のレシーバであり、上記ケースの他端側凹部上に突設した第２部材が通信用のマイクで構成したものである。
【発明の効果】
【００１８】
この発明によれば、意匠パネルの一端側裏面に形成され、ケース凹部に形成した孔に潜り込み上記ケースの裏面側と係止する爪と、上記意匠パネルの他端側裏面に形成され、上記ケースの厚み方向に押圧されることにより上記ケースの凹部上に形成した係止爪と係合する係止爪を設けるものとしたので、ケースに意匠パネルを容易に取付けることができ、取り付け状態では衝撃、振動などの外力で外れてしまうことがなく、かつ、取り外したいときには、容易に取り外せ、他の意匠パネルと取替えが容易な携帯機器が得られる効果がある。
【発明を実施するための最良の形態】
【００１９】
以下、本発明の実施の形態を図に基づいて説明する。
【００２０】
図１は、本発明を携帯電話機に適用した実施の形態を示す外観図であり、１はリアケース、２はこのリアケースに図示しないねじによりねじ止めされたフロントケースであり、該フロントケース及び上記リアケースで筐体ケースを構成し、内部に通信装置等を含む電子機器を収納している。３は文字や画像を表示するディスプレイとしての液晶表示器、４は通話相手に送信する音声を集音するためのマイク、５は通話相手から送信されてきた音声信号を音声出力するレシーバ、６は着信時、点滅表示されて着信を報知する着信インジケータ、７は電話番号を入力するテンキー等の操作キー、８は他方向操作キー、９はフロントケース２の液晶表示装置３側に嵌め込まれた第１意匠パネルであり、液晶表示装置３を受け入れる表示窓及び上記レシーバ５、着信インジケータ６をその内周に接した状態で受け入れる小孔が形成されている。１０はフロントケース２の操作キー７側に嵌め込まれた第２意匠パネルであり、操作キー７を受け入れる孔及びマイク４をその内周に接した状態で受け入れる小孔が形成されている。
【００２１】
図２はフロントケース２に嵌め込まれる第１及び第２意匠パネル９、１０を表面側から示した斜視図、図３は第１及び第２意匠パネル９、１０を裏面側から示した斜視図である。
【００２２】
図２及び図３により第１及び第２意匠パネルの構造を説明すると、１１は液晶表示装置３を受け入れる表示窓、１２は操作キー７を受け入れる孔、１３はレシーバ５をその内周に接した状態で受け入れる小孔、１４は着信インジケータ６をその内周に接した状態で受け入れる小孔、１５はマイク４をその内周に接した状態で受け入れる小孔である、
また、図３において１６ａ、１６ｂは第１意匠パネル９の裏面一端側に設けた爪、１７ａ、１７ｂは第１意匠パネル９の裏面他端側に設けた係止爪、１８ａ、１８ｂは第１意匠パネル９の裏面の両側部に形成されたリブ、１８ｃ、１８ｄはそれぞれリブ１８ａ、１８ｂの中間部に形成された凹部であり、上記リブ１８ａ、１８ｂは両側部に形成することにより第１意匠パネル９を強固に構成している。特に、リブ１８ａ及び１８ｂ間には表示窓１１があり、強度の低い部位であるから、リブ１８ａ、１８ｂを形成することにより、強度を高くしている。
【００２３】
１９ａ、１９ｂは第２意匠パネル１０の裏面一端側に設けた爪、２０ａ、２０ｂは第２意匠パネル１０の裏面他端側に設けた係止爪、２１ａ、２１ｂは第２意匠パネル１０の裏面の両側部に形成されたリブ、２１ｃ、２１ｄはそれぞれリブ２１ａ、２１ｂの中間部に形成された凹部であり、上記リブ２１ａ、２１ｂは両側部に形成することにより第２意匠パネル１０を強固に構成している。
【００２４】
一方、図４は第１及び第２意匠パネル９、１０をフロントケース２から取り外した状態を示した斜視図であり、フロントケース２は表面側部の外周部２ａ、２ｂを除いて凹部を形成した構造になっている。
【００２５】
２２ａ、２２ｂ、２２ｃ、２２ｄはフロントケース２に設けられた孔であり、２２ａ、２２ｂは第１意匠パネル９の爪１６ａ、１６ｂが挿入される孔であり、２２ｃ、２２ｄは第２意匠パネル１０の爪１９ａ、１９ｂが挿入される孔である。２３ａ、２３ｂ、２３ｃ、２３ｄはフロントケース２上の端部に形成した係止爪であり、２３ａ、２３ｂは第１意匠パネル９の係止爪１７ａ、１７ｂと係合する係止爪であり、２３ｃ、２３ｄは第２意匠パネル１０の係止爪１７ｃ、１７ｄと係合する係止爪である。２４ａ、２４ｂ、２４ｃ、２４ｄはフロントケース２表面側部の外周部２ａ、２ｂ内壁に設けられた突起であり、２４ａ、２４ｂは第１意匠パネル９の凹部１８ｃ、１８ｄが係合され、２４ｃ、２４ｄは第２意匠パネル１０の凹部２１ｃ、２１ｄが係合される。
【００２６】
次に、第１及び第２意匠パネル９、１０をフロントケース２に取り付け、取り外しする操作について図３及び図４を参照して説明する。
【００２７】
先ず、第１意匠パネル９をフロントケース２に取り付ける場合、第１意匠パネル９一端裏面に形成した爪１６ａ、１６ｂをフロントケース２の孔２２ａ、２２ｂに潜らせ、第１意匠パネル９の他端側を持って操作キー７方向へ軽く押し付ける状態で第１意匠パネル９他端側をフロントケース２上に装着していく。
【００２８】
この装着動作にともなって、第１意匠パネル９の凹部１８ｃ、１８ｄがフロントケース２側部外周部２ａ、２ｂ内壁に設けた突起２４ａ、２４ｂに当接し、さらに、第１意匠パネル９の係止爪１７ａ、１７ｂがフロントケース２の係止爪２３ａ、２３ｂに当接する。  この状態で、第１意匠パネル９の凹部１８ｃ、１８ｄ及び係止爪１７ａ、１７ｂ上を押圧しながら装着すると、第１意匠パネル９の凹部１８ｃ、１８ｄに突起２４ａ、２４ｂが嵌まり込んで係合し、第１意匠パネル９の係止爪１７ａ、１７ｂが係止爪２３ａ、２３ｂと係合する。そして、これと同時に第１意匠パネル９の爪１６ａ、１６ｂがフロントケース２の裏面側と係止し、小孔１３及び１４にレシーバ５及び着信インジケータ６が嵌る。即ち、小孔１３及び１４はレシーバ５及び着信インジケータ６を内周に接した状態で受け入れることになる。
【００２９】
図５に爪１６ａ、１６ｂとフロントケース２の裏面側との係止状態を示す。また、図６に係止爪１７ａ、１７ｂと係止爪２３ａ、２３ｂとの係止状態を示す。さらに、図７に係止爪１７ａと係止爪２３ａとの係止状態を拡大して示す。
【００３０】
ここで、フロントケース２に第１意匠パネル９が装着された状態で、爪１６ａ、１６ｂは操作キー７側端部の浮き上がり及び操作キー７方向への移動を規制し、係止爪１７ａ、１７ｂはレシーバ５側端部の浮き上がりを規制し、凹部１８ｃ、１８ｄは突起２４ａ、２４ｂとの係合で第１意匠パネル９中央部の浮き上がりを規制し、小孔１３、１４はレシーバ５、着信インジケータ６を受け入れることにより、レシーバ５側端部の平面方向の移動を規制する。したがって、第１意匠パネル９はフロントケース２に装着された状態で衝撃、振動などの外力で外れてしまうことはない。
【００３１】
一方、第２意匠パネル９をフロントケース２に取り付ける場合も同様で、
第２意匠パネル１０一端裏面に形成した爪１９ａ、１９ｂをフロントケース２の孔２２ｃ、２２ｄに潜らせ、第２意匠パネル１０の他端側を持って液晶表示器３方向へ軽く押し付ける状態で第２意匠パネル１０他端側をフロントケース２上に装着していく。
【００３２】
この装着動作にともなって、第２意匠パネル１０の凹部２１ｃ、２１ｄがフロントケース２側部外周部２ａ、２ｂ内壁に設けた突起２４ｃ、２４ｄに当接し、さらに、第２意匠パネル１０の係止爪２０ａ、２０ｂがフロントケース２の係止爪２３ｃ、２３ｄに当接する。  この状態で、第２意匠パネル１０の凹部２１ｃ、２１ｄ及び係止爪２０ａ、２０ｂ上を押圧しながら装着すると、第２意匠パネル１０の凹部２１ｃ、２１ｄに突起２４ｃ、２４ｄが嵌まり込んで係合し、第２意匠パネル１０の係止爪２０ａ、２０ｂが係止爪２３ｃ、２３ｄと係合する。そして、これと同時に第２意匠パネル１０の爪１９ａ、１９ｂがフロントケース２の裏面側と係止し、小孔１５にマイク４が嵌る。
【００３３】
フロントケース２に第２意匠パネル１０が装着された状態で、爪１９ａ、１９ｂは液晶表示器３側端部の浮き上がり及び液晶表示器３方向への移動を規制し、係止爪２０ａ、２０ｂはマイク４側端部の浮き上がりを規制し、凹部２１ｃ、２１ｄは突起２４ｃ、２４ｄとの係合で第２意匠パネル１０中央部の浮き上がりを規制し、小孔１５はマイク４を受け入れることにより、マイク４側端部の平面方向の移動を規制する。したがって、第２意匠パネル１０はフロントケース２に装着された状態で衝撃、振動などの外力で外れてしまうことはない。
【００３４】
次に、フロントケース２に取り付けられた第１及び第２意匠パネル９、１０を取り外す操作について説明する。
【００３５】
フロントケース２のレシーバ５側端部及びマイク４側端部には図４に示すように第１及び第２意匠パネル９、１０取り外し用の凹部２５ａ、２５ｂが形成されている。第１又は第２意匠パネル９、１０を取り外す場合、凹部２５ａ又は２５ｂに取り外し冶具を当接させ、第１又は第２意匠パネル９、１０端部をこじ上げる。即ち、第１意匠パネル９をこじ上げると、係止爪１７ａ、１７ｂと２３ａ、２３ｂとの係合が外れ、さらに、凹部１８ｃ、１８ｄと突起２４ａ、２４ｂとの係合が外れるので、孔２２ａ、２２ｂに潜り込ませた爪１６ａ、１６ｂを抜くことにより、容易に取り外せる。
【００３６】
また、第２意匠パネル１０端部をこじ上げた場合、
係止爪２０ａ、２０ｂと２３ｃ、２３ｄとの係合が外れ、さらに、凹部２１ｃ、２１ｄと突起２４ｃ、２４ｄとの係合が外れるので、孔２２ｃ、２２ｄに潜り込ませた爪１９ａ、１９ｂを抜くことにより、容易に取り外せる。
【００３７】
このように、本発明による実施の形態では、意匠パネルを容易に取付けることができ、取り付け状態では衝撃、振動などの外力で外れてしまうことがなく、かつ、取り外したいときには、容易に取り外すことができる。したがって、別の意匠パネルを準備しておけば、ユーザが好みに応じて好きな外観色や絵柄の意匠パネルに交換することが可能になる。
【図面の簡単な説明】
【００３８】
【図１】本発明を携帯電話機に適用した実施の形態を示す外観図である。
【図２】本発明に係る第１及び第２意匠パネルを表面側から示す斜視図である。
【図３】本発明に係る第１及び第２意匠パネルを裏面側から示す斜視図である。
【図４】本発明に係る第１及び第２意匠パネルをフロントケースから取り外した状態を示す斜視図である。
【図５】本発明に係る爪とフロントケースの裏面側との係止状態を示す断面図である。
【図６】本発明に係る意匠パネル側係止爪とフロントケース側係止爪との係止状態を示す断面図である。
【図７】本発明に係る意匠パネル側係止爪とフロントケース側係止爪との係止状態を拡大して示す拡大断面図である。
【符号の説明】
【００３９】
１：リアケース
２：フロントケース、
３：液晶表示器、
４：マイク、
５：レシーバ、
７：操作キー、
９：第１意匠パネル、
１０：第２意匠パネル、
１３〜１５：小孔、
１６ａ、１６ｂ、１９ａ、１９ｂ：爪、
１７ａ、１７ｂ、２０ａ、２０ｂ、２３ａ、２３ｂ、２３ｃ、２３ｄ：係止爪、
２２ａ〜２２ｄ：孔。
【図１】
2005223192.tif 000003
【図２】
2005223192.tif 000004
【図３】
2005223192.tif 000005
【図４】
2005223192.tif 000006
【図５】
2005223192.tif 000007
【図６】
2005223192.tif 000008
【図７】
2005223192.tif 000009